(57)【要約】      （修正有）【課題】強風に煽られて構成部材が曲がってしまう不都合や、不整地や不陸などによる凹凸等があることによって開閉時に当該門扉が上下動しても、開閉時に伸縮動作をする構成部材に曲がり等の変形を生じさせない門扉構成部材の連結ピンを提供する。【解決手段】伸縮門扉における連結ピンＣＰ２を、先端部にナット状頭部１ａを一体に備え、かつ、長さ方向で内部を中空にしたピン本体１を合成樹脂材により一体成形すると共に、ピン本体１における中空部１ｂの他端側に、ネジ部材３を着脱自在に設けた。【選択図】図４
0003199152.tif 000002
【実用新案登録請求の範囲】
【請求項１】
少なくとも左右側の脚柱と中間脚柱を有し、前記脚柱に、左傾斜の平行な棒状の構成部材と右傾斜の平行な棒状の構成部材とを、両構成部材の交点を連結ピンで結合し、かつ、前記構成部材の交点の中で前記脚柱にも交わる点を当該脚柱に支持させた伸縮門扉における前記連結ピンを、先端部にナット状頭部を一体に備え、かつ、長さ方向で内部を中空にしたピン本体を合成樹脂材により一体成形すると共に、該ピン本体における中空部の他端側に、ネジ部材を着脱自在に設けたことを特徴とする門扉の構成部材用の連結ピン。
【請求項２】
ピン本体は、長さ方向中間部に溝を周設し、該溝に、ワッシャを設けた請求項１に記載の連結ピン。
【請求項３】
ねじ部材はタッピングねじ部材である請求項１又は２に記載の連結ピン。
【請求項４】
タッピングねじ部材に代えて通常ねじ部材を用いると共にピン本体における中空部の他端側内面に前記通常ねじ部材が螺合する雌ねじを形成した請求項３に記載の連結ピン。
【請求項５】
ピン本体は、ポリアセタールなどのエンジニアリング合成樹脂で成形した請求項１〜４のいずれかに記載の連結ピン。
【考案の詳細な説明】
【技術分野】
【０００１】
本考案は、仮囲いパネル等で囲まれた工事現場などの出入口に設置される伸縮して開閉される伸縮型門扉における構成部材を結合するための連結ピンに関する。
【背景技術】
【０００２】
伸縮型門扉ＧＤは、図５に基づいて概説すると、アルミ等の金属製パイプ材や棒材による下部にキャスタＣＡを備えた脚柱Ｐ１〜Ｐ４と、キャスタを備えない１本以上の中間脚柱ＢＴ（図５では３本）と、これらの脚柱Ｐ１〜Ｐ４、ＢＴの間に伸縮自在に連結して配置されるアルミ角パイプ材等による構成部材Ｌとから形成されるものである。
そして前記構成部材Ｌは、その複数本で前記脚柱Ｐ１〜Ｐ４，ＢＴの間において形成されるパンタグラフ状の連続した平行四辺形が、上下，左右に連結された形態となるように、右側に傾斜させて平行に並べた構成部材Ｌｍと左側に傾斜させて平行に並べた構成部材Ｌｈとの交点を、ステンレス等の金属製の連結ピンＣＰで結合している。なお前記の各交点の中で前記脚柱Ｐ１〜Ｐ４，ＢＴとも交わる交点は、その中の少なくとも１点を、当該脚柱Ｐ１〜Ｐ４とＢＴにピンＣＰで結合すると共に、前記各脚柱と交わる残りの交点は脚柱Ｐ１〜Ｐ４，ＢＴにスライド可能に支持させて伸縮門扉ＧＤに形成されている。前記キャスタＣＡは、この門扉ＧＤの開閉時に脚柱Ｐ１〜Ｐ４を地面に沿って平行移動させるための走行輪である。
【０００３】
ところで、上記門扉ＧＤは、工事現場等の出入口に設けられることが多いが、当該門扉ＧＤが設置される工事現場の出入口は凹凸のある不整地や大きな不陸がある場所が多い。また、門扉ＧＤは屋外に設置されているから強風に曝されることも多い。
上記のような不整地や不陸がある場所で当該門扉ＧＤを開閉すると、脚柱Ｐ１〜Ｐ４のキャスタＣＡが不整地や不陸の凹凸に倣って大きく上下動しながら扉開閉のための走行をすることになる。また、設置場所によっては、門扉ＧＤの構成部材Ｌが大きく撓むほどの強風に曝されることもある。
【０００４】
図５に示した従来の伸縮門扉ＧＤでは、上記のような不整地や不陸のある場所で扉開閉のための走行を繰り返すと、連結ピンＣＰがステンレス鋼などの強靭で高剛性の材料で形成されているため連結ピンＣＰより低剛性のアルミ製構成部材Ｌが、地面の凹凸に倣った脚注Ｐ１〜Ｐ４の上下動作に追従できず、弯曲してしまうという不都合な状態を招来している。また、強風を受けた構成部材Ｌが曲がってしまい開閉動作に支障を来たすこともあった。このように構成部材Ｌの一部が弯曲してしまうと、門扉ＧＤ全体の伸縮動作が阻害されて門扉としての基本性能である開閉ができなくなるという問題になる。
【０００５】
そこで本願の考案者らは、従来の伸縮門扉ＧＤが不整地や不陸がある場所で開閉すると、構成部材Ｌの一部が曲がる等の変形してしまうこと、或は、設置場所で強風に曝されて構成部材Ｌが曲がってしまうことの原因を究明した結果、構成部材Ｌ同士の結合に使用されている連結ピンＣＰに原因があることを突止めた。
因みに、特許文献１〜５などの先行する伸縮門扉に関する公知文献においては、上述した伸縮門扉の構成部材が曲がって変形してしまい、開閉動作が不能になる事態を招来していることについては言及がなく、従ってそのような事態の原因や対策についても、全く言及されていない。
【先行技術文献】
【特許文献】
【０００６】
【特許文献１】特許第５６６３３６１号公報
【特許文献２】特許第５４９６１３４号公報
【特許文献３】特許第５１９１８０７号公報
【特許文献４】特開２０１５−６３８４４号公報
【特許文献５】特開２０１４−１３９４０２号公報
【考案の概要】
【考案が解決しようとする課題】
【０００７】
そこで本考案が解決しようとする課題は、工事現場等に設置される伸縮門扉において、強風に煽られて構成部材が曲がってしまう不都合や、不整地や不陸などによる凹凸等があることによって開閉時に当該門扉が上下動しても、開閉時に伸縮動作をする構成部材に曲がり等の変形を生じさせない門扉構成部材の連結ピンを提供することを課題とする。
【課題を解決するための手段】
【０００８】
上記課題を解決することを目的としてなされた本考案連結ピンの構成は、少なくとも左右側の脚柱と中間脚柱を有し、前記脚注に、左傾斜の平行な棒状の構成部材と右傾斜の平行な棒状の構成部材とを、両構成部材の交点を連結ピンで結合し、かつ、前記構成部材の交点の中で前記脚柱に交わる点を当該脚柱に支持させた伸縮門扉における前記連結ピンを、先端部にナット状頭部を一体に備え、かつ、長さ方向で内部を中空にしたピン本体を合成樹脂材により一体成形すると共に、該ピン本体における前記中空部の他端側に、ネジ部材を着脱自在に設けたことを特徴とするものである。なお前記ネジ部材にはワッシャを添えることができる。
【０００９】
本考案の連結ピンは、ピン本体の長さ方向の中間部に溝を周設し、該溝に、合成樹脂装Ｃ型ワッシャを設ける構造とすることができる。また前記ピン本体はＰＯＭ系材料で、Ｃ型ワッシャはＰＰ系材料で形成することができる。
【考案の効果】
【００１０】
本考案は、伸縮門扉の構成部材の連結ピンを、先端部にナット状頭部を一体に備え、かつ、内部を中空にした形態のピン本体を合成樹脂材により一体成形すると共に、該ピン本体の他端部に、ワッシャを備えたタッピングネジ体を前記中空部の開口端に着脱自在に設けて連結ピンに形成したから、この連結ピンで結合された伸縮動作をする伸縮門扉の構成部材に加わる、門扉開閉時の上下動による力や、強風によるせん断方向の力などが作用しても、連結ピン全体が撓み変形を含む様々な弾性変形をすることにより、前記構成部材に作用する力を連結ピンの弾性変形によって吸収し、構成部材が外力を受けてもその作用を抑制乃至緩和することができる。
このように本考案では、連結ピンが弾性変形することにより、従来の連結ピンが変形しにくいために生じていた構成部材の変形問題を解決することができる。
【図面の簡単な説明】
【００１１】
【図１】本考案連結ピンにおける合成樹脂材製のピン本体の正断面図
【図２】図１のピン本体の中空部の開口端にネジ込まれる金属ワッシャを備えたタッピングネジ体の正面図。
【図３】図１のピン本体の中間部に装着される合成樹脂製のＣ型ワッシャの正面図。
【図４】本考案連結ピンの使用状態を示す断面図。
【図５】本考案連結ピンが適用される伸縮門扉の一例の概要を示す斜視図。
【図６】従来の連結ピンの一例の正面図。
【考案を実施するための形態】
【００１２】
本考案の実施の形態例の説明に先立ち、図５の伸縮門扉ＧＤに使用されていた従来の連結ピンＣＰの例について、図６を参照して説明する。
【００１３】
図６の連結ピンＣＰにおいて、２０はステンレス鋼製のボルト材で、頭部２０ａの反対例にナット２１を螺合する雄ネジ２０ｂが切られており、以上の構成でピン本体をなす。以下、ボルト材２０はピン本体２０ともいう。前記ボルト材２０（ピン本体２０）には、当該ボルト材２０を長さ方向で略二分した長さを有するフランジ２２ａ，２３ａ付きのプラスチック製のカラー２２，２３が装着される。
【００１４】
前記カラー２２，２３において、フランジ２２ａ，２３ａはカラー本体２２Ａ，２３Ａと一体に形成されているが、フランジ２２ｂと２３ｂはカラー本体２２Ａ，２３Ａとは別体の部品である。カラー本体２２Ａ，２３Ａは、２本の構成部材ＬｍとＬｈの交点に開けた穴に、まず交叉して重なっている構成部材Ｌｍ，Ｌｈの外面側からそれぞれカラー本体２２Ａと２３Ａを夫々に差し込み、次いで、一方の構成部材Ｌｍの外面側の穴からボルト材２０を前記穴に挿入したカラー本体２２Ａに挿入する。このときフランジ２２ｂと２３ｂを、重ねた状態で構成部材Ｌｍ，Ｌｈの対向面の間に置いて前記ボルト材２０に通し、このボルト材２０の先端側を他方の構成部材Ｌｈの内面側から前記穴に挿入し、その穴の外面に出たボルト材２０にナット２１を取付けることにより、交叉する２本の構成部材Ｌｍ，Ｌｈを結合している。
【００１５】
なお、前記ボルト材２０の頭部２０ａの下面側とナット２１の下面側には、前記カラー２２，２３に当該ボルト材２０が挿入されるときカラー本体２２Ａ，２３Ａと一体のフランジ２２ａ，２３ａに重なるように当てがわれる金属製の座金２４と２５が配設されている。
【００１６】
上記のようにして図６に示した従来の連結ピンＣＰは、伸縮門扉の構成部材の交点を連結する部品であるが、構成部分がほぼ全部分離されてバラバラの多数の小部品から成るので、伸縮門扉のアルミ角パイプ材による構成部材の交点を、当該連結ピンＣＰで組立てるのに煩雑な手問を要するのみならず、各部品も小さいために散逸され易く、これが円滑な組立ての妨げにもなるという、連結ピンＣＰの構造に起因する問題を抱えているほか、上述した門扉ＧＤの構成部材Ｌを使用時に変形させてしまう原因にもなっているという難点があった。
【００１７】
本考案は、図６により説明した伸縮門扉用の従来連結ピンＣＰの様々な問題点を一挙に解決することを目的として請求項に記載した特徴的構成を具備する連結ピンＣＰ２を提供せんとするものであるから、以下にその具体例について、図１〜図３を参照して説明する。
【００１８】
図１において、１は、左端に六角形頭部１ａを一体に有すると共に、内部を筒状の中空部１ｂに形成した合成樹脂製、例えばＰＯＭ製のピン本体である。なお頭部１ａの形状は四角形や円形など六角形以外の形状であってもよい。前記ピン本体１は、一例として頭部１ａが外径約１６ｍｍ、中空部１ｂの外径約１０ｍｍ、中空部１ｂの内部穴径が約６ｍｍ、全長約５０ｍｍ弱の各寸法にポリアセタール等の合成樹脂材料により成形されている。なお、前記寸法や材料は一例であって、本考案ピン本体１が上記例の数値や材料のものに限られている訳ではない。例えば、合成樹脂材としては、ポリアミド，ポリカーボネート，ポリブチレンテレフタレートなどの中から選択したエンジニアリング合成樹脂を用いることができる。
【００１９】
１ｃは前記ピン本体１の略中央部位の外周面に形成したワッシャ用溝で、この溝１ｃは断面大略凹状であるが、ピン本体１の先端部寄りの段部立壁１１ｃは略４５度の傾斜面１１ｃに形成されている。この傾斜面１１ｃは図３に例示したＰＰ製のＣ型ワッシャ２をピン本体１の溝１ｃに着脱しやすくするための斜面である。
【００２０】
図３のＣ型ワッシャ２は、ピン本体１が挿入される２本のアルミ角パイプ材による門扉構成部材ＬｈとＬｍの交点に設けられたピン穴ＰＨにおける両部材ＬｈとＬｍの境界面に挟まれる部材である。Ｃ型ワッシャ２は、一例として外径が約１６ｍｍ、内径が約９ｍｍ、Ｃ型の開き角が７５度の寸法で、ポリプロピレン樹脂により成形されているが、このワッシャ２の上記寸法と材料も、上記例に限られるものではなくピン本体１と同じく適宜の合成樹脂が選択できる。
【００２１】
中間に前記ワッシャ２を介在させて２本の構成部材ＬｈとＬｍの交点に設けた該交点を貫通するピン穴ＰＨに一側面側から挿入された前記ピン本体１は、挿入先端側（頭部１ａが設けられていない例）、つまり中空部１ｂの開放端側から図２に示すタッピングねじ体３を、ワッシャ４を介してねじ込むと前記中空部１ｂの内面に形成される雌ねじに前記ねじ体３が保持されるから、ピン本体１とＣ型ワッシャ２とワッシャ４を介在させるタッピングねじ体３とが形成する本発明連結ピンＣＰ２によって、左右の角パイプ材による門扉構成部材ＬｈとＬｍが結合される（図４参照）。
本考案では前記タッピングねじ体３に代えてビス等の通常ねじを用いる構造とすることができる。通常ねじを用いる場合は中空部１ｂの開放端側の内面には前記ねじに螺合する雌ねじを形成する。
【００２２】
図４で判るように、アルミ角パイプ材などの柔らかい材料による門扉の構成部材ＬｈとＬｍが、その交点において本発明連結ピンＣＰ２によって結合されると、ピン本体１の全体が合成樹脂成形体であって、図６に示す従来の連結ピンＣＰのようにステンレス鋼製のような高剛性の金属製ピン本体２０とは異なり、豊かな弾力性と易変形性を備えているから、門扉ＧＤの脚柱Ｐ１〜Ｐ４、ＢＴが開閉時に上下に揺動してもピン本体１の弾力性と易変形性によって、構成部材Ｌの上下揺動をその交点の連結ピンＣＰ２でよく吸収することができ、従来門扉のように構成部材Lが変形することがない。
【００２３】
また、本考案連結ピンＣＰ２は、合成樹脂材製のピン本体１とＣ型ワッシャ２とワッシャ４付きのタッピングねじ材３という、至って少点数の部品から構成されているから、門扉ＧＤの構成部材Ｌ（ＬｈとＬｍ）の交点に設けた穴ＰＨに挿込んで組立てている手間も煩雑ではなく、部品点数が少ないから部品が散逸し難いという利点がある。
【産業上の利用可能性】
【００２４】
本考案連結ピンは以上の通りであるから、工事現場等に設置される伸縮門扉の構成部材を結合するための連結ピンとしてきわめて有用である。
また、本考案連結ピンは、上記の門扉ばかりではなく、２つの部材を結合するための連結ピンとして用いても好適である。
【符号の説明】
【００２５】
ＣＰ２  本考案連結ピン
ＣＰ  従来の連結ピン
１  ピン本体
１ａ  頭部
１ｂ  中空部
１ｃ  ワッシャ用溝
２  Ｃ型ワッシャ
３  タッピングねじ体
４  ワッシャ
【図１】
0003199152.tif 000003
【図２】
0003199152.tif 000004
【図３】
0003199152.tif 000005
【図４】
0003199152.tif 000006
【図５】
0003199152.tif 000007
【図６】
0003199152.tif 000008